【手続補正書】
【提出日】平成16年2月20日(2004.2.20)
【手続補正１】
【補正対象書類名】明細書
【補正対象項目名】発明の名称
【補正方法】変更
【補正の内容】
【発明の名称】受信機


【手続補正２】
【補正対象書類名】明細書
【補正対象項目名】特許請求の範囲
【補正方法】変更
【補正の内容】
【特許請求の範囲】
【請求項１】
送信拡散符号によりスペクトル拡散された無線信号を受信し、その受信信号を前記送信拡散符号と同一の受信拡散符号を用いて逆拡散して伝送データを再生する受信機において、
第１の受信拡散符号と、この第１の受信拡散符号に対し位相が所定量シフトした第２の受信拡散符号とをそれぞれ発生する受信拡散符号発生手段と、
前記受信信号と前記第１の受信拡散符号との相関値を求める第１の相関手段と、
前記受信信号と前記第２の受信拡散符号との相関値を求める第２の相関手段と、
前記第１および第２の相関手段により求められた各相関値についてそれぞれレベル判定を行ない、そのレベル判定結果を基に前記第１および第２の受信拡散符号の位相を前記受信信号の位相に近付けるべく前記受信拡散符号発生回路から発生される第１および第２の受信拡散符号の位相をシフト制御するための同期捕捉用の位相制御手段と
を備えることを特徴とする受信機。
【請求項２】
前記第１の相関手段、及び、前記第２の相関手段の少なくとも一方は同期追従用の位相制御に用いられることを特徴とする請求項１記載の受信機。
【請求項３】
前記受信拡散符号発生手段は、第１の受信拡散符号として正相の受信拡散符号を発生するとともに、第２の受信拡散符号として前記正相の受信拡散符号に対し位相が所定量進んだ進相の受信拡散符号を発生し、
前記同期捕捉用の位相制御手段は、受信信号と前記正相の受信拡散符号との相関値をレベル判定した結果と、受信信号と前記進相の受信拡散符号との相関値をレベル判定した結果とを基に前記受信拡散符号発生手段から発生される正相および進相の受信拡散符号の位相をシフト制御することを特徴とする請求項１記載の受信機。
【請求項４】
前記受信拡散符号発生手段は、第１の受信拡散符号として正相の受信拡散符号を発生するとともに、第２の受信拡散符号として前記正相の受信拡散符号に対し位相が所定量遅れた遅相の受信拡散符号を発生し、
同期捕捉用の位相制御手段は、受信信号と前記正相の受信拡散符号との相関値をレベル判定した結果と、受信信号と前記遅相の受信拡散符号との相関値をレベル判定した結果とを基に前記受信拡散符号発生手段から発生される正相および遅相の受信拡散符号の位相をシフト制御することを特徴とする請求項１記載の受信機。
【請求項５】
前記受信拡散符号発生手段は、第１の受信拡散符号として正相の受信拡散符号を発生するとともに、第２の受信拡散符号として前記正相の受信拡散符号に対し位相が所定量進んだ進相の受信拡散符号および位相が所定量遅れた遅相の受信拡散符号をそれぞれ発生し、
前記同期捕捉用の位相制御手段は、受信信号と前記正相の受信拡散符号との相関値をレベル判定した結果と、受信信号と前記進相の受信拡散符号との相関値をレベル判定した結果と、受信信号と前記遅相の受信拡散符号との相関値をレベル判定した結果とに基づいて、前記受信拡散符号発生手段から発生される正相、進相および遅相の各受信拡散符号の位相をシフト制御することを特徴とする請求項１記載の受信機。
【請求項６】
前記同期捕捉用の位相制御部は、前記受信拡散符号発生手段から発生される進相の受信拡散符号を前記受信信号に位相同期させるための位相シフト制御を行ない、当該位相同期の捕捉後に、前記受信拡散符号発生手段から発生される各受信拡散符号の位相を一律に前記進相の受信拡散符号と正相の受信拡散符号との間の位相差に相当する量だけシフトして、前記正相の受信拡散符号の位相を受信信号に同期させることを特徴とする請求項３記載の受信機。
【請求項７】
前記同期捕捉用の位相制御部は、前記受信拡散符号発生手段から発生される遅相の受信拡散符号を前記受信信号に位相同期させるための位相シフト制御を行ない、当該位相同期の捕捉後に、前記受信拡散符号発生手段から発生される各受信拡散符号の位相を一律に前記遅相の受信拡散符号と正相の受信拡散符号との間の位相差に相当する量だけシフトして、前記正相の受信拡散符号の位相を受信信号に同期させることを特徴とする請求項４記載の受信機。
【請求項８】
送信拡散符号によりスペクトル拡散された無線信号を受信し、その受信信号を前記送信拡散符号と同一の受信拡散符号を用いて逆拡散して伝送データを再生する受信機において、
正相の受信拡散符号と、この正相の受信拡散符号に対し位相が所定量進んだ進相の受信拡散符号および前記所定量遅れた遅相の受信拡散符号とをそれぞれ発生する受信拡散符号発生回路と、
前記受信信号と前記正相の受信拡散符号との相関値を求める正相相関器と、
前記受信信号と前記進相の受信拡散符号との相関値を求める進相相関器と、
前記受信信号と前記遅相の受信拡散符号との相関値を求める遅相相関器と、
前記受信信号に対する前記受信拡散符号の位相同期が捕捉されていない状態において、前記正相相関器により求められた相関値についてレベル判定を行なって第１の判定結果を得るとともに、前記進相相関器により求められた相関値および遅相相関器により求められた相関値のうちの少なくとも一方についてレベル判定を行なって第２の判定結果を得、これら第１および第２のレベル判定結果に基づいて前記受信拡散符号発生回路から発生される各受信拡散符号の位相をシフト制御するための同期捕捉用の位相制御部と、
この同期捕捉回路により前記位相同期が捕捉された後に、前記進相相関器により求められた相関値と前記遅相相関器により求められた相関値とのレベル差を求め、このレベル差を減少させるべく前記受信拡散符号発生回路から発生される各受信拡散符号の位相を制御するための同期追従用の位相制御部と
を具備することを特徴とする受信機。
【請求項９】
前記進相相関器と前記相相関器との少なくとも一方は同期追従用の位相制御に用いられることを特徴とする請求項８記載の受信機。
【手続補正３】
【補正対象書類名】明細書
【補正対象項目名】０００１
【補正方法】変更
【補正の内容】
【０００１】
【発明の属する技術分野】
この発明は、例えば自動車・携帯電話システムやコードレス電話システム、無線ＬＡＮシステム等の無線通信システムで使用される通信装置に係わり、特にスペクトラム拡散通信方式を使用して符号分割多元接続（ＣＤＭＡ：Code Division Multiple Access）通信を可能としたシステムで使用される受信機に関する。


【手続補正４】
【補正対象書類名】明細書
【補正対象項目名】００１３
【補正方法】変更
【補正の内容】
【００１３】
この発明は上記事情に着目してなされたもので、その目的とするところは、少なくとも符号同期を短時間にかつ高精度に捕捉することを可能にした受信機を提供することにある。


【手続補正５】
【補正対象書類名】明細書
【補正対象項目名】００１４
【補正方法】変更
【補正の内容】
【００１４】
【課題を解決するための手段】
上記目的を達成するために第１の発明は、送信拡散符号によりスペクトル拡散された無線信号を受信し、その受信信号を前記送信拡散符号と同一の受信拡散符号を用いて逆拡散して伝送データを再生する受信機において、第１の受信拡散符号と、この第１の受信拡散符号に対し位相が所定量シフトした第２の受信拡散符号とをそれぞれ発生する受信拡散符号発生手段と、上記受信信号と上記第１の受信拡散符号との相関値を求める第１の相関手段と、上記受信信号と上記第２の受信拡散符号との相関値を求める第２の相関手段と、同期捕捉用の位相制御手段とを備えている。そして、この同期捕捉用の位相制御手段により、上記第１および第２の相関手段により求められた各相関値についてそれぞれレベル判定を行ない、そのレベル判定結果を基に上記第１および第２の受信拡散符号の位相を上記受信信号の位相に近付けるべく上記受信拡散符号発生回路から発生される第１および第２の受信拡散符号の位相をシフト制御するようにしたものである。


【手続補正６】
【補正対象書類名】明細書
【補正対象項目名】００２２
【補正方法】変更
【補正の内容】
【００２２】
一方第２の発明の受信機は、正相の受信拡散符号と、この正相の受信拡散符号に対し位相が所定量進んだ進相の受信拡散符号および前記所定量遅れた遅相の受信拡散符号とをそれぞれ発生する受信拡散符号発生回路と、上記受信信号と上記正相の受信拡散符号との相関値を求める正相相関器と、上記受信信号と上記進相の受信拡散符号との相関値を求める進相相関器と、上記受信信号と上記遅相の受信拡散符号との相関値を求める遅相相関器とを備え、さらに同期捕捉用の位相制御部と、同期追従用の位相制御部とを備えている。